(57)【要約】【課題】低電流省エネ・環境保全型光制御設備であって、当該光制御設備は最小順方向電圧及び最大順方向電流を有する照明装置に応用され、当該照明装置内でライトボードが設置されており、当該ライトボードに最高出力を出せる既存の固定数の発光体が設置されており、その特徴は、当該既存の固定数の発光体に多数の付属発光体が直列・並列に接続されており、既存の固定数の発光体の最大の順方向電流を既存の固定数の発光体及び多数の付属発光体に分配することにより、各々の当該既存の固定数の発光体及び各々の多数の付属発光体を通過する電流を低下させ、また当該電流が低下した既存の固定数の発光体及び多数の付属発光体は既存の固定数の発光体の最高出力と相当する輝度を生み出す。それにより、有効に使用期限を引上げ、発光体燃えるのを避け、廃棄物の発生を減少させ、また環境保全効果を有する。【選択図】図２
2022002168.tif 000002
【特許請求の範囲】
【請求項１】
光制御設備は最小順方向電圧及び最大順方向電流を持つ照明装置に応用され、前記照明装置にライトボードが設置されており、前記ライトボードに最高出力を出せる既存の固定数の発光体が設置されており、前記既存の固定数の発光体に多数の付属発光体が直列・並列に接続されており、既存の固定数の発光体の最大の順方向電流を既存の固定数の発光体及び多数の付属発光体に分配することにより、前記各々の既存の固定数の発光体及び各々の多数の付属発光体を通過する電流を低下させ、また前記低下した電流の既存の固定数の発光体及び多数の付属発光体は既存の固定数の発光体の最高出力と相当する輝度を生み出すことを特徴とする低電流省エネ・環境保全型光制御設備。
【請求項２】
前記既存の固定数の発光体の最高出力は７０％〜１００％であることを特徴とする請求項１に記載の低電流省エネ・環境保全型光制御設備。
【請求項３】
前記既存の固定数の発光体及び多数の付属発光体の出力は６０％以下であることを特徴とする請求項１に記載の低電流省エネ・環境保全型光制御設備。
【請求項４】
前記既存の固定数の発光体及び多数の付属発光体の数は輝度に反比例することを特徴とする請求項１に記載の低電流省エネ・環境保全型光制御設備。
【請求項５】
前記既存の固定数の発光体は既存の固定数の発光ダイオードであることを特徴とする請求項１に記載の低電流省エネ・環境保全型光制御設備。
【請求項６】
前記多数の付属発光体は多数の付属発光ダイオードであることを特徴とする請求項１に記載の低電流省エネ・環境保全型光制御設備。
【発明の詳細な説明】
【技術分野】
【０００１】
本発明は光制御設備に関することであって、既存の固定数の発光体に多数の付属発光体が直列・並列に接続されており、各々の発光体の電流を低下されることにより、光制御設備に既存の固定数の発光体の最高出力の輝度を保存させることが可能な低電流省エネ・環境保全型光制御設備である。
【背景技術】
【０００２】
図１に示すのは従来品の立体図であって、一般的に従来の発光ダイオードの照明装置１の構造は主に照明装置１内にライトボード１１が設置されており、またライトボード１１には使用する出力がいずれも７０％〜１００％に達する既存の固定数の発光ダイオード１１１が設置されているが、この高出力で使用する既存の固定数の発光ダイオード１１１は、同じ電圧及び同じ既存の固定数の発光ダイオード１１１という条件のもとにあるので、従って比較的大きい電流を提供しなければならず、さらにその発光ダイオード１１１の最大の順方向電流を超えて初めて当該既存の固定数の発光ダイオード１１１が発光しまた必要な輝度に達することができ、当該既存の固定数の発光ダイオード１１１は生じた高出力・高輝度により強烈で眩しいグレアが生じ、それは柔らかい光線を発するということを達成したことができず、また大量の電力を消耗しまた省エネ・二酸化炭素の排出量削減の効果がなく、また既存の固定数の発光ダイオード１１１は高出力を使用するので、別途大きい電流が必要となり、それにより既存の固定数の発光ダイオード１１１に高熱が生じやすく、当該既存の固定数の発光ダイオード１１１は高熱に対して相当に敏感で、高熱のために燃えやすく、従来品は既存の固定数の発光ダイオード１１１に高熱が生じるのを避けるため、複雑な構造の放熱装置１１２を別途追加設置するので、大量なコストが増加し、それにより既存の固定数の発光ダイオード１１１の使用期限は長くても一年で、その品質保証期限は延長できず、毎年一つの照明装置１が壊れ、また厳重な環境保全問題が生じ、それによりその実用性が大いに減り、それは業者及び消費者が何とかして突破しようとするところであり、本発明者はその点に鑑みて発明をし、最終的に既存の固定数の発光体に多数の付属発光体を直列・並列に接続することができ、各々の発光体の電流を低下させることにより、光制御設備は既存の固定数の発光体の最高出力の輝度を保持することができる。さらに既存の固定数の発光体及び多数の付属発光体に発生熱量を減少させ、放熱装置を使用せず、省エネ、設備の簡素化を図りまたコストを低下させ、強烈で眩しいグレアが生じず柔らかい光線を発するということを達成することができる。また、有効に使用期限を延長させ、発光体が燃えることを避け、廃棄物を減少させ、環境保全効果を持つ低電流省エネ・環境保全型光制御設備が出来上がる。
【発明の概要】
【発明が解決しようとする課題】
【０００３】
前記既存技術不足の問題を解決するため、本発明の主要な目的は、低電流省エネ・環境保全型光制御設備を提供することにあり、それは既存の固定数の発光体に多数の付属発光体を直列・並列に接続し、各々の発光体の電流を低下させることにより、光制御設備は既存の固定数の発光体の最高出力の輝度を保持し、それにより既存の技術における難しいところを克服することを期待する。
本発明の副次的目的は、低電流省エネ・環境保全型光制御設備を提供することであり、それは既存の固定数の発光体及び多数の付属発光体に発生熱量を減少させ、放熱装置を使用せず、省エネ、設備の簡素化を図りまたコストを低下させ、強烈で眩しいグレアが生じず柔らかい光線を発するということを達成することができる。
本発明のもう一つの目的は、低電流省エネ・環境保全型光制御設備を提供することであり、それは有効に使用期限を延長させ、発光体が燃えることを避け、廃棄物の発生を減少させ、また環境保全効果を持つ。
【課題を解決するための手段】
【０００４】
前記目的を達成させるために、本発明は低電流省エネ・環境保全型光制御設備を提供し、当該光制御設備は最小順方向電圧及び最大順方向電流を持つ照明装置に応用され、当該照明装置内にライトボードが設置されており、当該ライトボードに最高出力を出せる既存の固定数の発光体が設置されており、その特徴は、当該既存の固定数の発光体に多数の付属発光体が直列・並列に接続されており、既存の固定数の発光体の最大の順方向電流を既存の固定数の発光体及び多数の付属発光体に分配することにより、各々の当該既存の固定数の発光体及び各々の多数の付属発光体を通過する電流を低下させ、また当該電流が低下した既存の固定数の発光体及び多数の付属発光体は既存の固定数の発光体の最高出力と相当する輝度を生み出す。
【０００５】
本発明における既存の固定数の発光体の最高出力は７０％〜１００％が望ましい。
【０００６】
本発明における既存の固定数の発光体及び多数の付属発光体の出力は６０％以下が望ましい。
【０００７】
本発明における既存の固定数の発光体及び多数の付属発光体の数目は輝度に反比例することが望ましい。
【０００８】
本発明における既存の固定数の発光体は既存の固定数の発光ダイオードであるのが望ましい。
【０００９】
本発明における多数の付属発光体は多数の付属発光ダイオードであるのが望ましい。
【００１０】
従来の技術の効果と照合することにより、本発明は既存の固定数の発光体に多数の付属発光体が直列・並列に接続されており、各々の発光体の電流を低下させることにより、光制御設備は既存の固定数の発光体の最高出力の輝度を保持することができる。さらに、既存の固定数の発光体及び多数の付属発光体に発生熱量を減少させ、放熱装置を使用せず、省エネ、設備の簡素化を図りまたコストを低下させ、強烈で眩しいグレアが生じずまた柔らかい光線を発するということを達成した。有効に使用期限を引上げ、発光体が燃えることを避け、廃棄物の発生を減少させ、また環境保全効果を持ち、大幅に産業上の利用可能性を拡大しまた革新性及び進歩性を有する。
【図面の簡単な説明】
【００１１】
【図１】従来品の立体図である。
【図２】本発明の立体分解図である。
【図３】本発明の立体組立図である。
【図４】本発明の組立断面図である。
【発明を実施するための形態】
【００１２】
本発明の特徴、内容と長所及びその達成可能な効果について貴審査員に理解させやすいため、付属図に合わせて、また実施例の表現方法で詳細に本発明について下記のように説明し、本文の中で使用する図式は、その主旨は模式的に示した概念図であるにすぎずまた説明書について理解しやすいために使用され、本発明の実施後の実際の比例と精確な配置ではないので、付属する図式の比例と配置関係により本発明において実際上特許請求の範囲を制限してはならず、それについてまずはっきりさせる。
【００１３】
図２、図３、図４に示すのは本発明の立体分解図、本発明の立体組立図、本発明の組立断面図であり、本発明の低電流省エネ・環境保全型光制御設備は好適な実施例において、当該光制御設備２００は最小順方向電圧及び最大順方向電流を持つ照明装置２に応用され、当該照明装置２内にライトボード２１が設置されており、当該ライトボード２１に最高出力を出せる既存の固定数の発光体２１１が設置されており、当該既存の固定数の発光体２１１の最高出力は７０％〜１００％であり、その特徴は、当該既存の固定数の発光体２１１に多数の付属発光体２１２が直列・並列に接続されており、既存の固定数の発光体２１１の最大順方向電流を既存の固定数の発光体２１１及び多数の付属発光体２１２に分配し、それにより各々の当該既存の固定数の発光体２１１及び各々の多数の付属発光体２１２を通過する電流を低下させ、また当該電流が低下した既存の固定数の発光体２１１及び多数の付属発光体２１２も既存の固定数の発光体２１１の最高出力に相当する輝度を生み出し、それにより当該既存の固定数の発光体２１１及び多数の付属発光体２１２の出力は６０％以下となる。すなわち当該既存の固定数の発光体２１１及び多数の付属発光体２１２の数は輝度に反比例する。
【００１４】
本実施例において当該既存の固定数の発光体２１１は既存の固定数の発光ダイオードであり、当該多数の付属発光体２１２は多数の付属発光ダイオードであり、ただしこれにより本発明を制限せず、前記既存の固定数の発光ダイオード及び付属発光ダイオード以外のその他の既存の固定数の発光体２１１及び付属発光体２１２であってもよく、いずれも本発明の保護範囲にある。本実施例において当該既存の固定数の発光体２１１及び多数の付属発光体２１２は長条形を呈するが、これにより本発明を制限せず、前記長条形以外のその他の形であってもよく、いずれも本発明の保護範囲にある。
これにより、本発明は既存の固定数の発光体２１１に多数の付属発光体２１２が直列・並列に接続されており、各々の発光体の電流を低下されることにより、光制御設備２００は既存の固定数の発光体２１１の最高出力の輝度を保持することができる。さらに既存の固定数の発光体２１１及び多数の付属発光体２１２に発生熱量を減少させ、放熱装置を使用せず、省エネ、設備の簡素化を図りまたコストを低下させ、強烈で眩しいグレアが生じず柔らかい光線を発するということを達成することができる。また、有効に使用期限を延長させ、発光体が燃えることを避け、廃棄物を減少させ、産業上の利用可能性を大幅に拡大しまた革新性及び進歩性を有することができる。
【００１５】
以上の説明により分かるように、本発明は従来の技術構造を突破することにおいて、増進させようとする効果を確実に達成することができ、また当業者が容易に想到できることではなく、また、本発明は申請する前に公開したことがなく、革新性、進歩性を有することは、特許法上の発明の出願要件に合致し、ここで法により特許申請を提出し、貴局に対して発明を励ます上で、便宜を図らせて頂きたく、本件の発明の特許出願に対して特許権を付与してくださるよう願う次第である。
【００１６】
以上述べた実施例は本発明の技術思想及び特徴を説明したにすぎず、その目的は当業者が本発明の内容について理解しまたそれに基づいて実施できることにあり、本発明の特許請求の範囲を限定するものではなく、本発明の要旨を逸脱しない範囲において種々変形実施可能であり、それらの変形は本発明の特許請求の範囲に含まれていなければならない。
【符号の説明】
【００１７】
（従来品）
１        照明装置
１１        ライトボード
１１１        既存の固定数の発光ダイオード
１１２        放熱装置
（本発明）
２００        光制御設備
２        照明装置
２１        ライトボード
２１１        既存の固定数の発光体
２１２        付属発光体
【図１】
2022002168.tif 000003
【図２】
2022002168.tif 000004
【図３】
2022002168.tif 000005
【図４】
2022002168.tif 000006